(57)【特許請求の範囲】
【請求項１】
固体粒子と連続的要素を３次元的に混合することにより補強土する工法において、太さの異なった連続的要素を同時に混合することを特徴とした太さの異なった繊維を用いた補強土工法。
【請求項２】
太さの異なった連続的要素として、１０デニール以下の極細の長い単繊維（モノフィラメント）、又はそれらの単繊維を２本以上引きそろえ軽く縒りをかけるか、又は縒りをかけずに束にした複繊維（マルチフィラメント）と、太目の連続的要素として１０デニール以上の長い単繊維、又はそれらの単繊維を３本以上引きそろえ軽く縒りをかけるか、又は縒りをかけずに束にした複繊維（マルチフィラメント）、又は短い繊維を集合させて縒りをかけた３０デニール以上の紡績糸（スパン）とを同時に混合することを特徴とした請求項１記載の太さの異なった繊維を用いた補強土工法。
【発明の詳細な説明】
【０００１】
【産業上の利用分野】
本発明は、土木工事における補強土工法に関するもので、詳しくは盛土及び軟弱地盤などの補強や、崩壊地斜面及び法面に対し、吹付け工法により造成する植物の生育基盤の補強に関する。
【０００２】
【従来の技術】
従来、土木工事に於いて連続的要素即ち連続繊維を用いた補強土工法としては、特公平一４９６６１号公報に開示された、砂などの固体粒子と連続繊維をそれぞれ別系統のノズルで同時に吹き付け、３次元的に連続繊維を介在させることで疑似粘着力を持たせ、盛土や軟弱地盤を補強する補強土工法と、特開平１−３１００１９号公報に示す連続的要素即ち連続繊維を泥状客土基材（植生基材）と共に吹き付け生育基盤を補強土する工法が行われている。後者の生育基盤を補強土する工法においては、糸状、ロープ状、テープ状の連続的要素を、空気吸入口を設けた吹き付けノズルの空気吸入口より吸引し、植生基材と共に施工面へ吹き付ける生育基盤造成工法が開示されている。図４及び図５に上記公報に開示された泥状材吹き付けノズル及びそれによる吹き付け作業実施の様子を示す。
【０００３】
この工法をみると、図４に示すように、吹き付けノズル１０の空気吸入口３においては、噴出口１よりの泥状化した緑化基盤材（泥状基材）Ｇの噴出により筒体２内に生じた減圧効果により、外部の空気Ａが筒体２内に吸引されると共に、この空気吸入口３に外部から糸挿入ガイド穴（連続繊維吸入口）４を経て挿入された糸状、ロープ状、テープ状の連続的要素Ｔも、空気Ａと共に吹き付けノズル１０の筒体２内に吸引・導入される。筒体２内では泥状化した緑化基盤材Ｇは連続的要素Ｔと混合し、連続的要素Ｔを引っ張るようにして吹き付けノズル１０の先端部の吐出口７より外部に飛び出し、両者が絡み合った状態で施工面に付着する。
【０００４】
又、図５に示すように、吹き付けノズル２０の筒体２内に疎水剤（凝集剤）Ｆを注入した場合には、疎水剤Ｆと泥状客土基材Ｍと空気Ａとが筒体２内で混合攪拌されて、疎水剤Ｆの吸着架橋作用により粘土粒子が団粒化し、このときは、緑化基盤材が団粒化しているために、連続的要素Ｔと良く絡み合うと記述されている。
【０００５】
又、前者の盛土や軟弱地盤を補強する補強土工法にあっても、補強土するためには、先ず土砂に含まれている微細粒子が浸透水などにより流出されることを防止することが肝心である。このためには、上記の通り、従来のいずれの補強土工法においても用いられた土砂などの固体粒子に混合する連続的要素即ち連続繊維を、細くして微細土粒子と絡み合い易くすることが必要である。
以上のことから現実には、５デニールの長繊維を３０本引きそろえて軽く縒りをかけたマルチフィラメントを使用している。
【０００６】
一方、土砂などの固体粒子に連続的要素を混合して補強土する工法とは別に、モルタル等の吹付け工においてガラス繊維などの連続的要素を同時に吹付け、モルタルと一体化することより吹き付けたモルタル面の補強をする工法ではかなり太めの繊維を用いている。（特公昭５３−４７６０２参照）。これは前者が土粒子の侵食による流亡を防止することを主目的としているのに対し、後者は吹き付けた基盤のひび割れや滑落などの防止に主目的を置いていることにより、使用する連続繊維の大きさや材質が異るものである。
【０００７】
【発明が解決しようとする課題】
前者は土粒子の侵食による流亡を防止することを主目的として極細の繊維を使用しているが、前者が補強目的とする植物の生育基盤も長期にわたって考えれば後者と同様に基盤のひび割れや滑落を防止することも必要であることは言うまでもない。ところが従来は植物の生育基盤に関しては、同一の極細の連続繊維を多量に基盤に混入する事のみで土粒子の流亡及び滑落に対する基盤の補強効果をあげようとしている。
【０００８】
又、現在本発明人は、崩壊地斜面や法面に対し、吹き付け工により植物の生育基盤を造成する方法において、同一の太さの連続繊維を出来るだけ多量に基盤内へ混入し基盤の補強をする方法を実施しているが、同一の太さの繊維を用いた場合、連続繊維の供給装置の如何にかかわらず各繊維は同じ速度で供給されることから、同時に多量に供給される極細の繊維が一体となって仕舞い、このために極細の繊維を用いた効果が半減してしまうことを確認している。
【０００９】
極細の繊維を用いた効果を１００％発揮するためには、出来る限り一本々々ばらばらの解繊の状態で基盤内に混入することが必要である。
以上のように、盛土及び軟弱地盤などの補強や、崩壊地斜面や法面に対し、吹き付け工により造成する植物の生育基盤を補強するためには、微細土粒子を浸透水や降雨水浸食による流出から防止し、更にはひび割れや滑落から防止するために極細の連続繊維を解繊した状態で、また、太めの繊維と共に基盤内へ混入することが必要であるにもかかわらずこれらのいずれもが確実に行われていないという問題がある。
【００１０】
【課題を解決するための手段】
上記の問題を解決するために本発明においては、盛土材や生育基盤材の吹き付け時に同時に吹き付け混入する連続繊維をそれぞれの目的に適合した太さにして、太さの異なった連続的要素を同時に混合して供給することにより、極細繊維の解繊、土粒子の流亡及びひび割れや滑落などを防止し、上記の問題を一挙に解決する手段を提供する。
【００１１】
【作用】
太さの異なった連続的要素を同時に混合して供給することにより、極細の繊維は泥状基材に含まれる土粒子との絡みが良く、特に粘土やシルト（ｓｉｌｔ）等の微細粒子の侵食を防止し、又、太めの連続繊維は生育基盤のひび割れや滑落などを防止する作用効果を挙げることができる。
【００１２】
【実施例】
前記特開平１−３１００１９に開示された植物の生育基盤を吹き付けにより造成する方法について説明すると、吹き付けノズルにより生育基盤材と共に連続繊維をノズル内へ吸引させて基盤材と共に施工面へ吹き付ける際には、前述の通り現在では、同一の太さの連続繊維を用いている。例えば、通常
材質：  ポリエステル  １００％
太さ：  ５デニール
混入本数：  ３０本引きそろえ束にしたものを１６本
が、用いられている。
本発明においては、上記の耐浸食性を考慮した極細の繊維とは別に短繊維を紡いだ太めの紡績糸を用い、以下の割合で同時に供給しノズル内へ吸引させた。
種類：  ２種類
▲１▼  材質：  ポリエステル  １００％
太さ：  ５デニール
混入本数：  ３０本束×１２本
▲２▼  材質：  ポリエステル  綿混紡績糸
太さ：  ２００デニール
混入本数：  ４本
上記の極細の繊維▲１▼と太めの紡績糸▲２▼との混入方法は、以下述べる通り、前記図４及び５に示した吹き付けノズル１０及び２０に類似した構成の吹き付けノズル３０を用いて行う。
【００１３】
図１は本発明による吹き付けノズル３０を示し、図１（ａ）は吹き付けノズル３０の外観正面図、図１（ｂ）は図１（ａ）のＸ−Ｘ断面図を示す。図１において、Ａは空気、Ｆは疎水剤、Ｇは緑化基盤材、Ｍは泥状客土基材、Ｔは連続的要素（連続繊維）、Ｔａは極細の連続繊維、Ｔｂは太めの連続繊維について、それぞれが吹き付けノズル３０に出入する進路の方向を示す。
ゴムホース３９を経て吹き付けノズル３０内に圧送された泥状客土基材Ｍは調量コック３８により調量され、噴出口３１より筒体３２内に噴出され、この時の吐出圧により発生する筒体３２内の減圧効果により空気Ａが空気吸入口３３より筒体３２内に吸引され、これと同時に連続的要素Ｔが連続繊維吸入口３４より空気Ａに吸引されて筒体３２内に入り、ここで疎水剤注入パイプ４２より入った疎水剤Ｆと合体して泥状客土基材Ｍは団粒化し、合成された緑化基盤材Ｇは連続的要素Ｔと共に吐出口３７より施工面に吹き付けられる。
【００１４】
前述の通り、本発明における連続的要素Ｔは、極細の連続繊維Ｔａと、太めの連続繊維Ｔｂとが混入されており、その混入方法としてはノズル３０に設けた４箇所の連続繊維吸入口３４へそれぞれ極細の連続繊維Ｔａを各３本、太めの連続繊維Ｔｂを各１本づつ混入した。これにより、施工面に飛散した連続繊維は、極細の連続繊維Ｔａは泥状基材に含まれる土粒子との絡みが良く、又、繊維一本の重さが軽いこともあり、一本の重さが重く土粒子との絡みが悪い太めの連続繊維Ｔｂより泥状基材への追従性が良好であった。そのため連続繊維吸入口３４の４箇所へ各３本づつ混入した極細の連続繊維Ｔａは泥状基材に引っ張られる速度が速いために、それぞれ各１本づつ混入した太めの連続繊維Ｔｂにダブリながら一本々々が個別に部分的に絡み、丁度植物の根の毛根が主根から伸張している如き状態で泥状基材と共に飛散し、吹き付けられた植物の生育基盤内へ三次元的にランダムに混合された。
【００１５】
図２に泥状基材に引っ張られて飛散する連続繊維の状態を示し、極細の長繊維（モノフィラメント）が短繊維を集合させて縒りをかけた紡績糸（スパン糸）に良く絡み合っている状態が示されている。
図３に生育基盤内へ三次元的にランダムに混合された連続繊維の状態を示す。極細の連続繊維と太めの連続繊維とが生育基盤内で土粒子と良く絡み合っている状態が判る。
【００１６】
【発明の効果】
本発明を実施することにより、植物の生育基盤内へ混合された連続繊維は、極細の繊維は土粒子と絡み合い降雨水や浸透水による土粒子特に粘土やシルトなどの微細粒子の侵食を防止する効果を挙げ、又、太めの連続繊維は生育基盤のひび割れや滑落を防止する効果を奏する。
【図面の簡単な説明】
【図１】図１は本発明による吹き付けノズルを示し、図１（ａ）は吹き付けノズルの外観正面図、図１（ｂ）は図１（ａ）のＸ−Ｘ断面図である。
【図２】図２は泥状基材に引っ張られて飛散する連続繊維の状態を示す模式図である。
【図３】図３は生育基盤内へ三次元的にランダムに混合された連続繊維の状態を示す模式図である。
【図４】図４は従来技術における泥状材吹き付けノズルを示し、図４（ａ）はその外観正面図、図４（ｂ）はその要部断面図である。
【図５】図５は従来技術における他の泥状材吹き付けノズルを示し、且つ、それによる吹き付け作業の様子を示した説明図である。
【図１】
0003676838.tif 000002
【図２】
0003676838.tif 000003
【図３】
0003676838.tif 000004
【図４】
0003676838.tif 000005
【図５】
0003676838.tif 000006